(57)【要約】【課題】カバー体の寸法ばらつき及び変形に影響されることなく、簡単な構造でキャビネットの前面の内周縁部と表示面との間に隙間が生じるのを抑制することができ、異物の侵入が抑制され、外観品位が良好である表示装置を提供する。【解決手段】表示装置は、横長の直方体状をなす表示部１と、表示部１の周縁部に嵌合されるキャビネット２とを備える。表示部１のベゼル１２は、表示パネル１１の表面の周縁部を覆う表枠１２ａと、表示パネル１１の側面側を覆う側枠１２ｃとを備える。側枠１２ｃの周縁部の両長辺に対応する部分には、外側に突出した第２突出部１２ｄが複数並設されている。キャビネット２は、表枠１２ａを覆う表枠被覆部２１と、側枠１２ｃを覆う側枠被覆部２２とを備える。側枠被覆部２２の周縁部の内面の第２突出部１２ｄと対向する部分には、第２突出部１２ｄと当接する凸部２３が設けられている。【選択図】図２
2010286562.tif 000002
【特許請求の範囲】
【請求項１】
表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、
前記側枠の周縁部の少なくとも一部に、外側に突出した突出部分を備えることを特徴とする表示装置。
【請求項２】
前記突出部分は、前記周縁部の一部が、外側に塑性加工により突出している部分である請求項１に記載の表示装置。
【請求項３】
前記突出部分は、前記周縁部の外面に設けた凸部である請求項１に記載の表示装置。
【請求項４】
表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、
前記側枠被覆部の周縁部の少なくとも一部に、内側に突出した突出部分を備えることを特徴とする表示装置。
【請求項５】
前記突出部分は、前記周縁部の内面の一部が、面厚がほぼ均一な状態で突出している部分である請求項４に記載の表示装置。
【請求項６】
前記突出部分は、前記周縁部の内面に設けた凸部である請求項４に記載の表示装置。
【請求項７】
前記側枠被覆部の外面の前記突出部分に対応する部分に、補強凸部を設けてある請求項４から６までのいずれか一つに記載の表示装置。
【請求項８】
表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、
前記側枠の周縁部の少なくとも一部に、外側に突出した突出部分を備え、
前記側枠被覆部の周縁部に、前記突出部分に当接する第２の突出部分を備えることを特徴とする表示装置。
【発明の詳細な説明】
【技術分野】
【０００１】
本発明は、表示パネルと、該表示パネルの周縁部を覆うベゼルと、該ベゼルを覆うキャビネットとを有する液晶表示装置、プラズマ表示装置、ＳＥＤディスプレイ、ＥＬディスプレイ等の表示装置に関する。
【背景技術】
【０００２】
テレビジョン受像機等に用いられる液晶表示装置等の表示装置は、画像を表示する表示面を有する表示部と、枠形をなし、該表示部の周縁部に嵌合されるベゼルと、該ベゼルに嵌合されるキャビネットと、前記表示部の後側を覆うカバー体とを備えており、キャビネット及びカバー体の周縁部がビスにより表示部の周縁部に取付けられるように構成されている。
キャビネットは、前記表示面の周縁部と対向する表枠、及び該表枠の外周縁に連なり、前記表示部の側面側と対向する側枠を有し、合成樹脂により一体成形されており、カバー体は合成樹脂により深皿形に一体成形されている。
【０００３】
図８は従来の液晶表示装置としての表示装置を示す斜視図、図９は前記表示装置を示す縦断側面図である。
この表示装置は、横長の直方体状をなし、画像を表示する表示面５１ａを前側に有する表示部５１と、枠状をなし、前記表示部５１の周縁部に嵌合される合成樹脂製のキャビネット５２と、表示部５１を起立状態で支持するスタンド５３と、表示部５１の後側を覆うカバー体（図示せず）とを備えている。
【０００４】
表示部５１は、表示パネル６１と、該表示パネル６１の外周に嵌合される金属製のベゼル６２と、バックライト部６３とを備えている。
【０００５】
ベゼル６２は、表示パネル６１の表面の周縁部を覆う表枠６２ａと、表示パネル６１の側面側を覆うように表枠６２ａに連設された側枠６２ｂとを備えている。表枠６２ａの内周縁部に対応する部分は、他部と段差が生じるように外側に突出した突出部６２ｃとなっており、突出部６２ｃは環状の緩衝部材６９を介して表示パネル６１の周縁部と接するように構成されている。
【０００６】
バックライト部６３のバックライトシャーシ６７は箱状をなし、開口部が表示パネル６１の裏面に対向するように配されており、下側の側面には、側面視でＬ字状に外側に突出した突出部６７ａが設けられている。そして、バックライトシャーシ６７には、矩形箱状の反射部６６が収納されており、反射部６６の底面には冷陰極蛍光管（図示せず）が複数個備えられている。
ランプ収容箱６６の開口縁部には、フランジ６６ａが設けられている。そして、光学シート６４及び拡散板６５が、周縁部がフランジ６６ａに密着する状態で配されている。
バックライトシャーシ６７はシャーシホルダ６８により固定されている。
【０００７】
キャビネット５２は、ベゼル６２の表枠６２ａを覆う表枠被覆部５２１と、側枠６２ｂを覆う側枠被覆部５２２と、表示装置の表示部５１下側部分を覆う下部被覆部５２４と、表示部５１の上側部分を覆う上部被覆部５２５とを備えている。表枠被覆部５２１の内周縁部には、内側に突出した内向凸部５２１ａが設けられている。表枠被覆部５２１は、スペーサ７０を介在させた状態で、ベゼル６２の突出部６２ｃに接するように構成されている。
【０００８】
この表示装置のキャビネット５２に、図８の矢印で示すように反りが生じた場合、図１０に示すように、キャビネット５２の内向凸部５２１ａと表示面５１ａとの間に隙間Ａが生じることがある。この場合、外観品位が悪くなるとともに、異物が侵入等したときには不良品となることがある。
【０００９】
このキャビネットの表枠の内周縁部と表示面との間に隙間が生じるのが抑制された表示装置として、特許文献１の表示装置がある。
図１１は、特許文献１の表示装置の要部の構成を示す縦断側面図である。
この表示装置は、横長の直方体状をなし、画像を表示する表示面７１ａを前側に有する表示部７１と、枠状をなし、表示部７１の周縁部に嵌合される合成樹脂製のキャビネット７２と、深皿状をなし、表示部７１の後側を覆う合成樹脂製のカバー体７３とを備えている。
表示部７１は、前側に表示面７１ａを有する表示パネル８１と、該パネル８１の周縁部に嵌合されるベゼル８２と、バックライト部８７とを備えている。
【００１０】
バックライト部８７のバックライトシャーシ８７ａは箱状をなし、開口部が表示パネル８１の裏面に対向するように配されている。バックライトシャーシ８７ａには、矩形箱状の反射部８６が収納されており、反射部８６の底面には冷陰極蛍光管８５が複数個備えられている。そして、光学シート８４及び拡散板８３が、周縁部が反射部８６のフランジに密着する状態で配されている。
バックライトシャーシ８７ａの周縁部内側には、光学シート８４の周縁部を受止めるシート受体８７ｂが設けられ、光学シート８４の周縁部を押付ける押付環８８をシート受体８７ｂに嵌合することにより光学シート８４がバックライト部８７に保持されている。バックライトシャーシ８７ａの裏面には前後に貫通する複数の貫通孔を有するブラケット７５がビス等の雄螺子７７により取付けられている。
【００１１】
ブラケット７５は表示面７１ａと平行的に取付けられる取付板部７５１と、該取付板部７５１に連なり、カバー体７３の嵌入部７３１内面に接触して該嵌入部７３１の表示部７１に対する位置を決める位置決板部７５２とを有し、全体として略Ｌ字状をなす。取付板部７５１に、ビス７８が挿通される挿通孔７５１ａが設けられており、位置決板部７５２の先端部には、嵌入部７３１の内面に接触する接触部７５２ａが設けられている。
ブラケット７５は、カバー体７３の開放部で寸法のバラツキ、及び反りが生じ易い個所に対応して複数の周方向位置に設けられている。
カバー体７３の嵌入部７３１の周方向へ離隔した複数個所には接触部７５２ａに接触する被接触部７３１ａが設けられている。
【００１２】
キャビネット７２は、ベゼル８２の前面を覆う表枠７２１と、該表枠７２１の外周縁に連なり、表示部１の側面側を覆う側枠７２２とを有している。表枠７２１には、内周縁に連なる環状の内向凸部７２１ａと、内周縁及び外周縁の間の中間部から後方へ延出され、螺子孔７２１ｂを有する複数のボス７２１ｃとが一体に成形されている。そして、表枠７２１とベゼル８２との間に帯部材７２３が貼着されている。
【００１３】
以上のように構成された表示装置は、キャビネット７２を表示部７１の前方から該表示部７１の前側周縁部に嵌込んでなる。この際、帯部材７２３がベゼル８２に当接し、ボス７２１ｃが位置決板部７５２に当接し、キャビネット７２の表示部７１に対する前後位置が決められる。また、前記挿通孔７５１ａにビス７８を挿通し、ビス７８をボス７２１ｃの螺子孔７２１ｂに緊締することにより、キャビネット７２の表示部７１に対する上下及び横方向位置が決められるとともに、キャビネット７２が表示部７１に固定される。従って、カバー体７３に寸法のバラツキ及び反りが生じている場合に、嵌入部７３１の表示部７１に対する位置を適正な位置に修正することができ、嵌入部７３１にずれが生じたときの撓みに起因してキャビネット７２に力が作用し、内向凸部７２１ａと表示面７１ａとの間に隙間が生じるのが抑制されている。
【先行技術文献】
【特許文献】
【００１４】
【特許文献１】特開２００８−１３９４８３号公報
【発明の概要】
【発明が解決しようとする課題】
【００１５】
しかし、特許文献１の表示装置においては、図８に示すようにキャビネット７２に反りが生じている場合、このキャビネット７２の変形はカバー体７３を介して位置決板部７５２により矯正されるため、カバー体７３の寸法のバラツキ及び変形等の度合によってはキャビネット７２の変形が十分に矯正されないことがあるという問題があった。また、この表示装置の隙間抑制構造は複雑であり、製造工程が煩雑になるという問題があった。
【００１６】
本発明は斯かる事情に鑑みてなされたものであり、カバー体の寸法ばらつき及び変形に影響されることなく、簡単な構造でキャビネットの前面の内周縁部と表示面との間に隙間が生じるのを抑制することができ、異物の侵入が抑制され、外観品位が良好である表示装置を提供することを目的とする。
【課題を解決するための手段】
【００１７】
本発明に係る表示装置は、表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、前記側枠の周縁部の少なくとも一部に、外側に突出した突出部分を備えることを特徴とする。
【００１８】
本発明に係る表示装置は、前記突出部分は、前記周縁部の一部が、外側に塑性加工により突出している部分であることを特徴とする。
【００１９】
本発明に係る表示装置は、前記突出部分は、前記周縁部の外面に設けた凸部であることを特徴とする。
【００２０】
本発明に係る表示装置は、表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、前記側枠被覆部の周縁部の少なくとも一部に、内側に突出した突出部分を備えることを特徴とする。
【００２１】
本発明に係る表示装置は、前記突出部分は、前記周縁部の内面の一部が、面厚がほぼ均一な状態で突出している部分であることを特徴とする。
【００２２】
本発明に係る表示装置は、前記突出部分は、前記周縁部の内面に設けた凸部であることを特徴とする。
【００２３】
本発明に係る表示装置は、前記側枠被覆部の外面の前記突出部分に対応する部分に、補強凸部を設けてあることを特徴とする。
【００２４】
本発明に係る表示装置は、表示パネルと、該表示パネルの表面の周縁部を覆う表枠、及び前記表示パネルの側面側を覆う側枠を有するベゼルと、前記表枠を覆う表枠被覆部、及び前記側枠を覆う側枠被覆部を有するキャビネットとを備える表示装置において、前記側枠の周縁部の少なくとも一部に、外側に突出した突出部分を備え、前記側枠被覆部の周縁部に、前記突出部分に当接する第２の突出部分を備えることを特徴とする。
【００２５】
本発明においては、側枠被覆部が側枠に嵌合されるときに、突出部分で干渉して、側枠被覆部に外向きに反発力が働く。この結果、てこの原理により、表枠被覆部の内周縁部を表示部側に向ける方向に力が作用し、表枠被覆部の内周縁部と表示パネルの表示面との隙間が減じた状態で、キャビネットが表示部に嵌合される。
【００２６】
本発明においては、突出部分が、側枠の周縁部の一部が、外側に塑性加工により突出している部分、又は側枠被覆部の周縁部の内面の一部が、面厚がほぼ均一な状態で突出している部分であるので、突出部分は簡単な構造を有する。突出部分がベゼルの側枠に備えられている場合、該突出部分は絞り加工又は曲げ加工により容易に形成される。
【００２７】
本発明においては、突出部分が側枠（又は側枠被覆部）の周縁部の外面（又は内面）に設けた凸部であるので、突出部分は簡単な構造を有する。
【００２８】
本発明においては、側枠被覆部の外面の前記突出部分に対応する部分に補強凸部を設けてあるので、反発力が作用し、表枠被覆部との境界部分が支点となる側枠被覆部に剛性を付与することができる。
【００２９】
本発明においては、側枠の周縁部の少なくとも一部に外側に突出した突出部分を備え、側枠被覆部の周縁部に前記突出部分に当接する第２の突出部分を備えるので、側枠被覆部の外向きに働く反発力がより大きくなり、表枠被覆部を表示部側に向ける力がより大きくなり、キャビネットの内周縁部と表示パネルの表示面との隙間がより減じる。
【発明の効果】
【００３０】
本発明によれば、側枠被覆部が側枠に嵌合されるときに、突出部分で干渉して、側枠被覆部に外向きに反発力が働く。この結果、てこの原理により、表枠被覆部の内周縁部を表示部側に向ける方向に力が作用し、表枠被覆部の内周縁部と表示パネルの表示面との隙間が減じた状態で、キャビネットが表示部に嵌合される。キャビネットの反りは特許文献１の表示装置のようにカバー体を介して矯正されるものではない。
従って、本発明によれば、カバー体の寸法ばらつき及び変形に影響されることなく、簡単な構造でキャビネットの前面の内周縁部と表示面との間に隙間が生じるのを抑制することができ、異物の侵入が抑制されて不良率が低下し、外観品位が良好である。
【図面の簡単な説明】
【００３１】
【図１】本発明の実施の形態１に係る表示装置を示す斜視図である。
【図２】本発明の実施の形態１に係る表示装置を示す縦断側面図である。
【図３】本発明の実施の形態１に係る表示装置のキャビネットを表示部に嵌合する状態を示す縦断側面図である。
【図４】本発明の実施の形態１に係る表示装置のキャビネットを表示部に嵌合する状態を示す縦断側面図である。
【図５】本発明の実施の形態２に係る表示装置を示す縦断側面図である。
【図６】本発明の実施の形態３に係る表示装置を示す縦断側面図である。
【図７】本発明の実施の形態４に係る表示装置を示す縦断側面図である。
【図８】従来の表示装置を示す斜視図である。
【図９】従来の表示装置を示す縦断側面図である。
【図１０】従来の表示装置のキャビネットの内向凸部と表示部との間に隙間Ａが生じた状態を示す縦断側面図である。
【図１１】特許文献１の表示装置の要部の構成を示す縦断側面図である。
【発明を実施するための形態】
【００３２】
以下、本発明をその実施の形態を示す図面に基づいて具体的に説明する。
実施の形態１．
図１は本発明の実施の形態１に係る表示装置を示す斜視図、図２は前記表示装置を示す縦断側面図である。
本実施の形態の表示装置は液晶表示装置であり、横長の直方体状をなし、画像を表示する表示面１ａを前側に有する表示部１と、枠状をなし、前記表示部１の周縁部に嵌合される合成樹脂製のキャビネット２と、表示部１を起立状態で支持するスタンド３と、表示部１の後側を覆うカバー体（図示せず）とを備えている。
【００３３】
表示部１は、横長の直方体状をなし、前側に前記表示面１ａを有する表示パネル１１と、該表示パネル１１の外周に嵌合される金属製のベゼル１２と、バックライト部１３とを備えている。
【００３４】
ベゼル１２は、表示パネル１１の表面の周縁部を覆う表枠１２ａと、該表枠１２ａの外周縁に、表示パネル１１の側面側を覆うように連設された側枠１２ｃとを備えている。表枠１２ａの内周縁部には、他部と段差が生じるように外側に突出した第１突出部１２ｂが全長に亘って備えられており、第１突出部１２ｂは緩衝部材１９を介して表示パネル１１の周縁部と接するように構成されている。
そして、側枠１２ｃの周縁部の両長辺に対応する部分には、面厚がほぼ均一な状態で、他部と段差が生じるように外側に突出した第２突出部１２ｄが複数、所定間隔を隔てて並設されている。第２突出部１２ｄは絞り加工等の塑性加工により形成される。
【００３５】
バックライト部１３のバックライトシャーシ１７は箱状をなし、開口部が表示パネル１１の裏面に対向するように配されており、下側の側面には、側面視でＬ字状に外側に突出した突出部１７ａが設けられている。そして、バックライトシャーシ１７には、側面が外側に傾斜した矩形箱状の反射部１６が収納されており、反射部１６の底面には冷陰極蛍光管（図示せず）が複数個備えられている。
【００３６】
ランプ収容箱１６の開口縁部には、フランジ１６ａが設けられている。そして、表示パネル１１の後側から光を拡散させる矩形状の拡散板１５と、光出射面の法線方向に集光する矩形板状の光学シート１４とが、周縁部がフランジ１６ａに密着する状態で配されている。表示パネル１１の裏面は空間を介して光学シート１４に対向しており、表示パネル１１の裏面に光が均一に入射するように構成されている。
バックライトシャーシ１７はシャーシホルダ１８により固定されている。
【００３７】
キャビネット２は、ベゼル１２の表枠１２ａを覆う表枠被覆部２１と、該表枠２１の外周縁に連なり、側枠１２ｃを覆う側枠被覆部２２と、表示装置の表示部１の下側部分を覆う下部被覆部２４と、表示部１の上側部分を覆う上部被覆部２５とを備えている。
側枠被覆部２２の周縁部の内面の前記第２突出部１２ｄと対向する部分には、該第２突出部１２ｄと当接するように凸部２３が複数設けられている。凸部２３の周縁部側の端部は、周縁部に向かうに従って厚みが漸減するように形成されている。
また、表枠被覆部２１の内周縁部には、内側に突出した内向凸部２１ａが設けられている。表枠被覆部２１の内周縁部内面にはスペーサ２０が貼着されている。表枠被覆部２１は、スペーサ２０を介在させた状態で、ベゼル１２の第１突出部１２ｂに接するように構成されている。
【００３８】
本実施の形態の表示装置は、キャビネット２を表示部１の前方から該表示部１の前側周縁部（ベゼル１２）に嵌合してなる。
図３及び図４は、キャビネット２を表示部１に嵌合する状態を示す縦断側面図である。
図３の矢印に示すように、表枠１２ａ，側枠１２ｃが表枠被覆部２１，側枠被覆部２２に覆われる状態で、キャビネット２が表示部１に嵌合される。このときには、図３に示すように、キャビネット２の表枠被覆部２１は外側に反っている。
【００３９】
図４に示すように、側枠被覆部２２が側枠１２ｃに嵌合されるときに、表示部１の下部において、凸部２３が第２突出部１２ｄを押圧する状態で第２突出部１２ｄに当接するので、矢印で示すように下向きの反発力が働く。この結果、てこの原理により、下側の表枠被覆部２１の内周縁部を表示部１側に向ける力が作用し、内向凸部２１ａが表示部１の表示面１ａに略密着する状態で、前記表枠被覆部２１が表枠１２ａに嵌合される。
【００４０】
表示部１の上部においても同様に、凸部２３が第２突出部１２ｄを押圧する状態で第２突出部１２ｄに当接するので、矢印で示すように上向きの反発力が働く。この結果、てこの原理により、上側の表枠被覆部２１の内周縁部を表示部１側に向ける力が作用し、上述の下側の表枠被覆部２１に内向きの力が作用することにより上側の表枠被覆部２１が外側に開くのが抑制され、内向凸部２１ａが表示面１ａに略密着する状態で、キャビネット２が表示部１に嵌合される。
【００４１】
本実施の形態の表示装置は前記特許文献１の表示装置と異なり、キャビネット２の反りをカバー体を介して矯正するものではない。
従って、本実施の形態の表示装置は、カバー体の寸法ばらつき及び変形に影響されることなく、簡単な構造でキャビネット２の内周縁部と表示面１ａとの間に隙間が生じるのを抑制することができ、異物の侵入が抑制されて不良率が低下し、外観品位が良好である。
そして、キャビネット２に成形の誤差が生じている場合に、凸部２３を削って調整することができる。
【００４２】
なお、本実施の形態においては、ベゼル１２の側枠１２ｃの周縁部の両長辺に対応する部分に、第２突出部１２ｄが複数並設され、キャビネット２の側枠被覆部２２の第２突出部１２ｄの対応する部分に凸部２３が複数並設されている場合につき説明しているがこれに限定されるものではなく、第２突出部１２ｄは前記両長辺の全長に亘って設け、凸部２３は前記両長辺の全長に亘って設けることにしてもよい。この場合、第２突出部１２ｄは曲げ加工により形成することができる。
そして、ベゼル１２の側枠１２ｃの周縁部の両短辺に対応する部分に、第２突出部１２ｄを複数並設し、キャビネット２の側枠被覆部２２の第２突出部１２ｄの対応する部分に凸部２３を複数並設することにしてもよい。さらに、第２突出部１２ｄを前記両短辺の全長に亘って設け、凸部２３を前記両短辺の全長に亘って設けることにしてもよい。
【００４３】
実施の形態２．
図５は、本発明の実施の形態２に係る表示装置を示す縦断側面図である。図中、図２と同一部分は同一符号を付して詳細な説明を省略する。
本実施の形態の表示装置は、側枠被覆部２２の外面の凸部２３に対応する部分に、補強凸部２６を設けてある。
本実施の形態においては、上述の反発力が作用し、表枠被覆部２１との境界部分が支点となる側枠被覆部２２に剛性を付与することができる。
【００４４】
実施の形態３．
図６は、本発明の実施の形態３に係る表示装置を示す縦断側面図である。図中、図２と同一部分は同一符号を付して詳細な説明を省略する。
本実施の形態の表示装置においては、実施の形態１の表示装置の側枠１２ｃの周縁部の両長辺に対応する部分に、外面の一部を突出させて第２突出部１２ｄを設ける代わりに、側枠１２ｃの外面に複数、凸部１２ｅを設けてある。
【００４５】
図６に示すように、側枠被覆部２２が側枠１２ｃに嵌合されるときに、表示部１の下部において、凸部２３が凸部１２ｅを押圧する状態で凸部１２ｅに当接するので、下向きの反発力が働く。この結果、てこの原理により、下側の表枠被覆部２１の内周縁部を表示部１側に向ける力が作用し、内向凸部２１ａと表示部１の表示面１ａとの隙間が減じた状態で、表枠被覆部２１が表枠１２ａに嵌合される。
表示部１の上部においても同様に、凸部２３が凸部１２ｅを押圧する状態で凸部１２ｅに当接するので、上向きの反発力が働く。この結果、てこの原理により、上側の表枠被覆部２１の内周縁部を表示部１側に向ける力が作用し、内向凸部２１ａと表示部１の表示面１ａとの隙間が減じた状態で、キャビネット２が表示部１に嵌合される。
従って、本実施の形態の表示装置は、異物の侵入が抑制されて不良率が低下し、外観品位が良好である。
【００４６】
実施の形態４．
図７は、本発明の実施の形態４に係る表示装置を示す縦断側面図である。図中、図６と同一部分は同一符号を付して詳細な説明を省略する。
本実施の形態の表示装置においては、実施の形態３の表示装置の側枠被覆部２２の周縁部の両長辺に対応する部分の内面に凸部２３を設ける代わりに、内面の一部を、面厚がほぼ均一な状態で他部と段差が生じるように内側に突出した突出部２２ａが複数、凸部１２ｅに対応させて並設されている。
【００４７】
図７に示すように、側枠被覆部２２が側枠１２ｃに嵌合されるときに、表示部１の下部において、突出部２２ａが凸部１２ｅを押圧する状態で凸部１２ｅに当接するので、下向きの反発力が働く。この結果、てこの原理により、下側の表枠被覆部２１の内周縁部を表示部１に向ける力が作用し、キャビネット２の内向凸部２１ａと表示部１の表示面１ａとの隙間が減じた状態で、表枠被覆部２１が表枠１２ａに嵌合される。
表示部１の上部においても同様に、突出部２２ａが凸部１２ｅを押圧する状態で凸部１２ｅに当接するので、上向きの反発力が働く。この結果、てこの原理により、上側の表枠被覆部２１の内周縁部を表示部１に向ける力が作用し、キャビネット２の内向凸部２１ａと表示部１の表示面１ａとの隙間が減じた状態で、キャビネット２が表示部１に嵌合される。
従って、本実施の形態の表示装置は、異物の侵入が抑制されて不良率が低下し、外観品位が良好である。
【００４８】
なお、前記実施の形態１乃至４においては、側枠１２ｃの周縁部の少なくとも一部に、外側に突出した突出部分を備え、かつ側枠被覆部２２の周縁部の少なくとも一部に、内側に突出した突出部分を備える場合につき説明しているがこれに限定されるものではなく、側枠１２ｃ及び側枠被覆部２２の少なくとも一方に突出部分を備えるものであってもよい。
また、前記実施の形態１乃至４においては、本発明の表示装置を液晶表示装置に適用した場合につき説明しているがこれに限定されるものではなく、本発明の表示装置は、プラズマ表示装置、ＳＥＤディスプレイ、ＥＬディスプレイ等の他の表示装置に適用することが可能である。
【符号の説明】
【００４９】
１  表示部
１ａ  表示面
２  キャビネット
２１  表枠被覆部
２１ａ  内向凸部
２２  側枠被覆部
２２ａ  突出部
２３  凸部
２４  下部被覆部
２５  上部被覆部
２６  補強凸部
３  スタンド
１１  表示パネル
１２  ベゼル
１２ａ  表枠
１２ｂ  第１突出部
１２ｃ  側枠
１２ｄ  第２突出部
１２ｅ  凸部
１３  バックライト部
１４  光学シート
１５  拡散板
１６  反射部
１６ａ  フランジ
１７  バックライトシャーシ
１７ａ  突出部
１８  シャーシホルダ
１９  緩衝部材
２０  スペーサ
【図１】
2010286562.tif 000003
【図２】
2010286562.tif 000004
【図３】
2010286562.tif 000005
【図４】
2010286562.tif 000006
【図５】
2010286562.tif 000007
【図６】
2010286562.tif 000008
【図７】
2010286562.tif 000009
【図８】
2010286562.tif 000010
【図９】
2010286562.tif 000011
【図１０】
2010286562.tif 000012
【図１１】
2010286562.tif 000013